【手続補正書】
【提出日】令和3年7月1日(2021.7.1)
【手続補正１】
【補正対象書類名】特許請求の範囲
【補正対象項目名】全文
【補正方法】変更
【補正の内容】
【特許請求の範囲】
【請求項１】
患者の個人識別情報に基づいて、当該患者に係る過去の診療データを取得する診療データ取得部と、
所定の複数の問診項目のそれぞれに対応する入力領域を有する問診票テンプレートデータと、前記取得された診療データとに基づいて、前記患者の問診票基礎データを作成する基礎データ作成部と、
前記患者の症状に関する申告情報の入力データを取得し、当該入力データを前記問診票基礎データに追加することにより前記患者の問診票データを作成する問診票データ作成部と、
前記作成された問診票データを出力する出力部と
を具備し、
前記基礎データ作成部は、前記作成された問診票基礎データに、前記複数の問診項目のそれぞれに記載された各データの生成日時を表す情報を付加し、当該生成日時を表す情報が付加された問診票基礎データを表示デバイスに表示させる、問診票作成支援装置。
【請求項２】
前記患者に係る健康状態または生活状態を表す健康管理データを取得する健康管理データ取得部を、さらに具備し、
前記基礎データ作成部は、前記問診票テンプレートデータと、前記取得された診療データと、前記取得された健康管理データとに基づいて、前記患者の問診票基礎データを作成する、請求項１に記載の問診票作成支援装置。
【請求項３】
前記基礎データ作成部は、前記作成された問診票基礎データのうち未記入の問診項目を強調する第１のマーキング情報を前記問診票基礎データに付与し、当該第１のマーキング情報が付与された状態で前記問診票基礎データを表示デバイスに表示させる、請求項１に記載の問診票作成支援装置。
【請求項４】
前記基礎データ作成部は、前記作成された問診票基礎データに記載されたデータの前記生成日時が現在時刻より予め設定された期間以上前の場合に、当該データに対しその信頼度を表す第２のマーキング情報を付与し、当該第２のマーキング情報が付与された状態で前記問診票基礎データを表示デバイスに表示させる、請求項１に記載の問診票作成支援装置。
【請求項５】
前記問診票データ作成部は、前記問診票基礎データのうち未記入の問診項目に対する入力候補の一覧情報を表示デバイスに表示させる、請求項１に記載の問診票作成支援装置。
【請求項６】
前記出力部は、問診票データの作成完了操作に応じて、前記作成された問診票データを予め設定された外部端末へ送信する、請求項１のいずれかに記載の問診票作成支援装置。
【請求項７】
コンピュータを有する装置が実行する問診票作成支援方法であって、
患者の個人識別情報に基づいて、当該患者の過去の診療データを取得する過程と、
所定の複数の問診項目に関する入力領域を有する問診票テンプレートデータと、前記取得された診療データとに基づいて、前記患者の問診票基礎データを作成する過程と、
前記患者の症状に関する申告情報の入力データを受け取り、当該入力データを前記問診票基礎データに追加することにより前記患者の問診票データを作成する過程と、
前記作成された問診票データを出力する過程と
を具備し、
前記基礎データを作成する過程は、前記作成された問診票基礎データに、前記複数の問診項目のそれぞれに記載された各データの生成日時を表す情報を付加し、当該生成日時を表す情報が付加された問診票基礎データを表示デバイスに表示させる、問診票作成支援方法。
【請求項８】
請求項１乃至６のいずれかに記載の問診票作成支援装置が備える前記各部の処理を、前記問診票作成支援装置が備えるプロセッサに実行させるプログラム。
【請求項９】
患者の症状に関する申告情報の入力データを取得する申告情報取得部と、
所定の複数の問診項目に各々対応する入力領域を有する問診票テンプレートデータと、前記取得された入力データとに基づいて、前記患者の問診票基礎データを作成する基礎データ作成部と、
前記患者の個人識別情報に基づいて、前記患者に係る過去の診療データおよび前記患者に係る健康状態または生活状態を表す健康管理データの少なくとも一方を取得するデータ取得部と、
前記取得された診療データおよび健康管理データの少なくとも一方から前記申告情報に関係するデータを選択し、当該選択したデータを前記問診票基礎データに追加することにより前記患者の問診票データを作成する問診票データ作成部と、
前記作成された問診票データを出力する出力部と
を具備する問診票作成支援装置。
【請求項１０】
前記基礎データを作成する過程は、前記作成された問診票基礎データの前記複数の問診項目のそれぞれに記載された各データの前記生成日時が現在時刻より予め設定された期間以上前の場合に、当該データに対しその信頼度を表すマーキング情報を付与し、当該マーキング情報が付与された状態で前記問診票基礎データを表示デバイスに表示させる、請求項７に記載の問診票作成支援方法。
【請求項１１】
コンピュータを有する装置が実行する問診票作成支援方法であって、
患者の症状に関する申告情報の入力データを取得する過程と、
所定の複数の問診項目に各々対応する入力領域を有する問診票テンプレートデータと、前記取得された入力データとに基づいて、前記患者の問診票基礎データを作成する過程と、
前記患者の個人識別情報に基づいて、前記患者に係る過去の診療データおよび前記患者に係る健康状態または生活状態を表す健康管理データの少なくとも一方を取得する過程と、
前記取得された診療データおよび健康管理データの少なくとも一方から前記申告情報に関係するデータを選択し、当該選択したデータを前記問診票基礎データに追加することにより前記患者の問診票データを作成する過程と、
前記作成された問診票データを出力する過程と
を具備する問診票作成支援方法。
【請求項１２】
請求項９に記載の問診票作成支援装置が備える前記各部の処理を、前記問診票作成支援装置が備えるプロセッサに実行させるプログラム。
【手続補正２】
【補正対象書類名】明細書
【補正対象項目名】０００７
【補正方法】変更
【補正の内容】
【０００７】
上記課題を解決するためにこの発明に係る問診票作成支援装置の第１の態様は、患者の個人識別情報に基づいて当該患者の過去の診療データを取得する診療データ取得部と、所定の複数の問診項目に関する入力領域を有する問診票テンプレートデータと、前記取得された診療データとに基づいて前記患者の問診票基礎データを作成する基礎データ作成部と、前記患者の症状に関する申告情報の入力データを受け取り、当該入力データを前記問診票基礎データに追加することにより前記患者の問診票データを作成する問診票データ作成部と、前記作成された問診票データを出力する出力部とを具備し、前記基礎データ作成部は、前記作成された問診票基礎データに、前記複数の問診項目のそれぞれに記載された各データの生成日時を表す情報を付加し、当該生成日時を表す情報が付加された問診票基礎データを表示デバイスに表示させるようにしたものである。
【手続補正３】
【補正対象書類名】明細書
【補正対象項目名】０００８
【補正方法】変更
【補正の内容】
【０００８】
第１の態様によれば、例えば、患者または医療スタッフが初診時に問診票を記入する際に、問診票作成支援装置により、当該患者の過去の診療データが取得され、この取得された診療データと問診票テンプレートデータとに基づいて、該当患者に関する問診票基礎データが作成される。そして、患者または医療スタッフが、問診票作成支援装置において、上記問診票テンプレートデータの未記入の問診項目、例えば今回の受診理由や症状等に関する申告情報を入力すると、この入力された申告情報が上記問診票テンプレートデータの未記入の問診項目に追加され、この追加後の問診票データが出力される。
さらに、問診票基礎データに記入されたデータにその生成日時を表す情報が付加されるので、医師等の医療スタッフが問診票データを参照する際に、問診項目ごとに記入されたデータをどの程度信頼して診断を行えばよいかを的確に判断することができる。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
この発明に係る装置の第４の態様は、第１の態様において、前記基礎データ作成部により、前記作成された問診票基礎データに記入されたデータの生成日時が現在時刻より予め設定された期間以上前の場合に、当該データに対しその信頼度を表す第２のマーキング情報を付与し、当該第２のマーキング情報が付与された状態で前記問診票基礎データを表示デバイスに表示させるようにしたものである。
【手続補正７】
【補正対象書類名】明細書
【補正対象項目名】００１７
【補正方法】変更
【補正の内容】
【００１７】
第４の態様によれば、例えば医師等の医療スタッフは、第２のマーキング情報により問診票基礎データに記入されたデータの新しさからその信頼の度合いを把握することができ、これにより問診票データを参照する際に各問診項目に記入されたデータの信頼性を容易にかつ確実に判断することが可能となる。
【手続補正８】
【補正対象書類名】明細書
【補正対象項目名】００１８
【補正方法】変更
【補正の内容】
【００１８】
この発明に係る装置の第５の態様は、上記第１の態様において、前記問診票データ作成部により、前記問診票基礎データのうち未記入の問診項目に対する入力候補の一覧情報を表示デバイスに表示させるようにしたものである。
【手続補正９】
【補正対象書類名】明細書
【補正対象項目名】００１９
【補正方法】変更
【補正の内容】
【００１９】
第５の態様によれば、患者または医療スタッフは、入力候補の一覧情報のうち、例えば該当する症状をタッチ操作により選択するだけで症状の入力を行うことができ、これにより問診票の作成に要する手間と時間をさらに減らすことができる。
【手続補正１０】
【補正対象書類名】明細書
【補正対象項目名】００２０
【補正方法】変更
【補正の内容】
【００２０】
この発明に係る装置の第６の態様は、上記第１の態様において、前記出力部により、問診票データの作成完了操作に応じて、前記作成された問診票データを予め設定された外部端末へ送信するようにしたものである。
【手続補正１１】
【補正対象書類名】明細書
【補正対象項目名】００２１
【補正方法】変更
【補正の内容】
【００２１】
第６の態様によれば、例えば、問診票データの作成操作が終了すると、当該問診票データが自動的に例えば医師の端末に送信される。このため、医師は問診票データの作成終了後直ちに問診票データの内容を検討することが可能となり、これにより患者の受診待ち時間をさらに短縮することができる。
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】変更
【補正の内容】
【００２４】
この発明に係る問診票作成支援装置の第７の態様は、患者の症状に関する申告情報の入力データを取得する申告情報取得部と、所定の複数の問診項目に関する入力領域を有する問診票テンプレートデータおよび前記取得された入力データに基づいて前記患者の問診票基礎データを作成する基礎データ作成部と、前記患者の個人識別情報に基づいて、前記患者の過去の診療データおよび前記患者の健康状態または生活状態を表す健康管理データの少なくとも一方を取得するデータ取得部と、前記取得された診療データおよび健康管理データの少なくとも一方から前記申告情報に関係するデータを選択し、当該選択したデータを前記問診票基礎データに追加することにより前記患者の問診票データを作成する問診票データ作成部と、前記作成された問診票データを出力する出力部とを具備するようにしたものである。
【手続補正１５】
【補正対象書類名】明細書
【補正対象項目名】００２５
【補正方法】変更
【補正の内容】
【００２５】
第７の態様によれば、ＥＭＲまたはＥＨＲデータに含まれる該当患者の過去の診療データと、ＰＨＲデータに含まれる該当患者の健康管理データや生活データのうちの少なくとも一方から、今回の患者の申告データの内容に関係するデータが選択されて問診票データに自動記入される。このため、過去の診療情報および健康情報や生活情報のうち、患者の容体の申告内容に応じて必要十分な情報が記載された問診票データを作成することができる。
【手続補正１６】
【補正対象書類名】明細書
【補正対象項目名】００４０
【補正方法】変更
【補正の内容】
【００４０】
(4) テンプレート記憶部１ｅに記憶された問診票テンプレートデータと、上記取得されたＥＨＲデータまたはＥＭＲデータと、ＰＨＲデータとを用いて、問診票基礎データを編集し、表示部１ｇに表示させる処理。
【手続補正１７】
【補正対象書類名】明細書
【補正対象項目名】００４１
【補正方法】変更
【補正の内容】
【００４１】
(5) 上記表示された問診票基礎データにおいて、未記入の問診項目について患者または医療スタッフが入力部１ｈにおいて入力した申告情報を受け取り、当該申告情報を上記問診票基礎データに追加すると共に、複数の問診項目のそれぞれに記載された各データの生成日時を表す情報を付加し、上記申告情報および上記生成日時を表す情報が付加された問診票データを表示部１ｇに表示させると共に問診票データ記憶部１ｆに保存する処理。
【手続補正１８】
【補正対象書類名】明細書
【補正対象項目名】００４５
【補正方法】変更
【補正の内容】
【００４５】
従って、患者或いは看護師等の医療スタッフは、初診外来時に問診票を作成する際に、今回の受診理由および現在の症状とその変化等に関する申告情報のみを入力すればよく、全問診項目について申告情報を入力する必要がなくなる。このため、問診票を作成する際の患者または医療スタッフの負担は大幅に軽減される。
さらに、問診票基礎データに記入されたデータにその生成日時を表す情報が付加されるので、医師等の医療ステップが問診票データを参照する際に、問診項目ごとに記入されたデータをどの程度信頼して診断を行えばよいかを的確に判断することができる。
【手続補正１９】
【補正対象書類名】明細書
【補正対象項目名】００６２
【補正方法】変更
【補正の内容】
【００６２】
患者識別情報取得部１１１は、入力部１６において患者が入力した患者の個人識別情報、または診察カードＣＤから読み込んだ患者の個人識別情報を、入出力Ｉ／Ｆ１４を介して取得する。そして、取得された個人識別情報を問診票データ作成部１１７に通知する処理を行う。上記患者の個人識別情報としては、例えば「氏名」と「生年月日」を含むものが考えられるが、ほかに地域内のいずれかの医療機関が発行した診察カードの「診察券登録番号」や、運転免許証、パスポートまたはマイナンバカード等の公的な個人識別番号であってもよい。
【手続補正２０】
【補正対象書類名】明細書
【補正対象項目名】００６３
【補正方法】変更
【補正の内容】
【００６３】
問診票データ表示制御部１１２は、問診票データ作成部１１７により作成された問診票の基礎データおよび完成データ（以後単に問診票データとも云う）を、入出力Ｉ／Ｆ１４を介して表示部１５に表示させる処理を行う。
【手続補正２１】
【補正対象書類名】明細書
【補正対象項目名】００６４
【補正方法】変更
【補正の内容】
【００６４】
ＥＨＲ／ＥＭＲデータ取得部１１３は、問診票データ作成部１１７の指示に従い、患者のＥＨＲデータまたはＥＭＲデータの取得要求を通信Ｉ／Ｆ１３からＥＨＲサーバＨＳＶまたはＥＭＲサーバＭＳＶへ送信する。そして、上記取得要求に対しＥＨＲサーバＨＳＶまたはＥＭＲサーバＭＳＶから送信されたＥＨＲデータまたはＥＭＲデータを通信Ｉ／Ｆ１３を介して受信し、問診票データ作成部１１７に渡す処理を行う。
【手続補正２２】
【補正対象書類名】明細書
【補正対象項目名】００６５
【補正方法】変更
【補正の内容】
【００６５】
ＰＨＲデータ取得部１１４は、問診票データ作成部１１７の指示に従い、患者のＰＨＲデータの取得要求を通信Ｉ／Ｆ１３から院内無線ＬＡＮを介して患者の携帯情報端末ＵＴｉへ送信する。そして、上記取得要求に対し携帯情報端末ＵＴｉから送信されたＰＨＲデータを通信Ｉ／Ｆ１３を介して受信し、問診票データ作成部１１７に渡す処理を行う。
【手続補正２３】
【補正対象書類名】明細書
【補正対象項目名】００６６
【補正方法】変更
【補正の内容】
【００６６】
問診票入力データ取得部１１５は、入力部１６において患者または医療スタッフが手入力した問診の申告情報を入出力Ｉ／Ｆ１４を介して取り込み、問診票データ作成部１１７に渡す処理を行う。
【手続補正２４】
【補正対象書類名】明細書
【補正対象項目名】００６７
【補正方法】変更
【補正の内容】
【００６７】
問診票完成データ出力部１１６は、問診票データ作成部１１７により作成された問診票の完成データを問診票データ記憶部１２２から読み出し、当該問診票の完成データを通信Ｉ／Ｆ１３から医師端末ＤＴへ送信する処理を行う。
【手続補正２５】
【補正対象書類名】明細書
【補正対象項目名】００７７
【補正方法】変更
【補正の内容】
【００７７】
そうすると、問診票データ作成部１１７の制御の下、上記入力された個人識別情報または診察カードから読み取られた診察券登録番号がステップＳ１１により取り込まれ、問診票データ作成部１１７の制御の下、ステップＳ１２において、上記個人識別情報または診察券登録番号をキーにして、ＥＭＲサーバＭＳＶまたはＥＨＲサーバＨＳＶに対し該当患者の登録の有無の問い合わせが行われる。
【手続補正２６】
【補正対象書類名】明細書
【補正対象項目名】００７８
【補正方法】変更
【補正の内容】
【００７８】
ＥＭＲサーバＭＳＶまたはＥＨＲサーバＨＳＶでは、上記問合せに応じて患者基本データのデータベースを検索する処理が行われ、その検索結果が問合せ元の問診票作成支援端末ＮＴへ返送される。問診票作成支援端末ＮＴは、上記検索結果を受け取ると、問診票データ作成部１１７の制御の下、先ずステップＳ１３により該当患者が登録済か否かを判定する。
【手続補正２７】
【補正対象書類名】明細書
【補正対象項目名】００８２
【補正方法】変更
【補正の内容】
【００８２】
（４）問診票基礎データの作成
問診票データ作成部１１７は、次にステップＳ１６において以下のように問診票基礎データの編集処理を行う。すなわち、先ず問診票テンプレートデータに基づいて、上記取得されたＥＭＲデータまたはＥＨＲデータ、およびＰＨＲデータの中から、問診項目に対応する情報を選択する。そして、選択した情報と上記問診票テンプレートデータとをもとに問診票の基礎データを編集する。
【手続補正２８】
【補正対象書類名】明細書
【補正対象項目名】００８５
【補正方法】変更
【補正の内容】
【００８５】
次に、問診票テンプレートデータの患者の既往歴等の記入欄Ａ２、たばこ・アルコールの摂取状況の記入欄Ａ３、近親者の既往歴の記入欄Ａ４には、ＥＭＲデータまたはＥＨＲデータに含まれる診療データ（診療記録）から、「既往歴」、「手術の経験の有無」、「輸血の履歴」、「薬または食物アレルギの有無」、「処方中の薬品」、「たばこやアルコールの摂取状況」、「近親者の既往歴」に対応する情報がそれぞれ選択され、対応する欄に記載される。
【手続補正２９】
【補正対象書類名】明細書
【補正対象項目名】００８９
【補正方法】変更
【補正の内容】
【００８９】
なお、このとき上記問診票の基礎データの各問診項目のうち、情報が未記入の問診項目に、当該未記入の問診項目の位置を強調するためのマーキングを施すとよい。未記入項目には、本日の受診目的および症状等の記入欄Ｃに加え、既往歴等の記入欄Ａ２、たばこ・アルコールの摂取状況の記入欄Ａ３、近親者の既往歴の記入欄Ａ４、および生体情報の記入欄Ｂ１のうち、ＥＭＲ／ＥＨＲデータおよびＰＨＲデータにより情報を記載できなかった欄が含まれる。マーキングの手法としては、例えば未記入項目の記入欄を着色するか、或いは太枠で囲む等の手法が考えられる。未記入項目にマーキングを施すことで、患者または医療スタッフはどの問診項目が未記入かを明確に認識することができる。
【手続補正３０】
【補正対象書類名】明細書
【補正対象項目名】００９３
【補正方法】変更
【補正の内容】
【００９３】
また、既往歴等の記入欄Ａ２、たばこ・アルコールの摂取状況の記入欄Ａ３、近親者の既往歴の記入欄Ａ４および生体情報の記入欄Ｂ１に記載された情報の中で、患者の現在の状況から乖離している情報或いは記載したくない情報について、患者または医療スタッフが該当する問診項目をタッチ操作により選択したとする。このタッチ操作により選択された問診項目はステップＳ２０により検出される。そして、患者または医療スタッフが入力部１６において修正情報を入力すると、問診票データ作成部１１７はステップＳ２１により上記修正データを受け付け、該当する項目に記載された情報を修正してその修正結果を表示部１５に表示させる。
【手続補正３１】
【補正対象書類名】明細書
【補正対象項目名】００９５
【補正方法】変更
【補正の内容】
【００９５】
（６）問診票完成データの送信
上記入力終了操作が検知されると、問診票作成支援端末ＮＴは問診票データ作成部１１７の制御の下、ステップＳ２２により、上記作成が終了した問診票の完成データを問診票データ記憶部１２２に記憶させる。またそれと共に問診票作成支援端末ＮＴは、問診票完成データ出力部１１６の制御の下、ステップＳ２２において、上記問診票データ記憶部１２２から上記記憶された問診票の完成データを読み出し、当該問診票完成データを通信Ｉ／Ｆ１３を介して医師端末ＤＴへ送信する。なお、問診票完成データは直接ＥＭＲサーバＭＳＶへ送信するようにしてもよい。